(57)【特許請求の範囲】
【請求項１】
上流側から搬送されてきた用紙を、用紙搬送方向と直交する幅方向の両端部から押し込んで整合する第１整合手段と、
上流側から搬送されてきた用紙の先端を所定時間突き当てさせて当該用紙を整合する第２整合手段と、
前記第１整合手段を駆動させる第１整合駆動手段と、
前記第２整合手段を駆動させる第２整合駆動手段と、
前記第１整合駆動手段及び前記第２整合駆動手段の動作を制御する制御手段と、を備え、
前記制御手段は、ジョブ毎に設定される複数の条件を含む所定の条件に応じて、前記第１整合駆動手段及び前記第２整合駆動手段の駆動を制御して、前記第１整合手段の動作及び前記第２整合手段の動作を制御することを特徴とする用紙処理装置。
【請求項２】
前記制御手段は、
前記所定の条件に基づいて、搬送されてきた用紙の坪量が予め設定された所定値より大きいか否か判断し、
用紙の坪量が前記所定値より大きい場合には、前記第１整合駆動手段を動作させて前記第２整合駆動手段は動作させず、用紙の坪量が前記所定値以下の場合には、前記第１整合駆動手段及び前記第２整合駆動手段を動作させることを特徴とする請求項１に記載の用紙処理装置。
【請求項３】
上流側から搬送されてきた用紙を一枚以上集積する集積部を備え、
前記第１整合手段は、前記集積部に集積される用紙に対する整合を行うものであって、
前記第２整合手段は、前記集積部から排出される用紙に対する整合を行うものであって、
前記制御手段は、
前記所定の条件に基づいて、前記集積部に集積される用紙の枚数が一枚か否かを判断し、
前記集積部に集積される用紙の枚数が一枚の場合には、搬送されてきた用紙の坪量が前記所定値より大きいか否か判断し、
前記集積部に集積される用紙の枚数が複数枚の場合には、前記第１整合駆動手段を動作させて前記第２整合駆動手段は動作させないことを特徴とする請求項２に記載の用紙処理装置。
【請求項４】
前記制御手段は、
前記集積部に集積される用紙の枚数が一枚で且つ当該用紙の坪量が前記所定値以下の場合、前記所定の条件に基づいて、後続処理に用紙の前記幅方向の中心位置合わせを必要とするものがあるか否かを更に判断し、
後続処理に用紙の前記幅方向の中心位置合わせを必要とするものがあると判断した場合には、前記第１整合駆動手段及び前記第２整合駆動手段を動作させ、
後続処理に用紙の前記幅方向の中心位置合わせを必要とするものがないと判断した場合には、前記第１整合駆動手段は動作させずに前記第２整合駆動手段は動作させることを特徴とする請求項３に記載の用紙処理装置。
【請求項５】
前記制御手段は、
前記集積部に集積される用紙の枚数が一枚で且つ当該用紙の坪量が所定値より大きい場合、前記所定の条件に基づいて、後続処理に用紙の前記幅方向の中心位置合わせを必要とするものがあるか否かを更に判断し、
後続処理に用紙の前記幅方向の中心位置合わせを必要とするものがあると判断した場合には、前記第１整合駆動手段を動作させ、
後続処理に用紙の前記幅方向の中心位置合わせを必要とするものがないと判断した場合には、前記第１整合駆動手段を動作させないことを特徴とする請求項３又は４に記載の用紙処理装置。
【請求項６】
前記第１整合手段と前記第２整合手段との間の用紙搬送経路には、湾曲した搬送経路が含まれることを特徴とする請求項１〜５の何れか一項に記載の用紙処理装置。
【請求項７】
前記第１整合手段は、前記幅方向に沿って往復移動可能であって、用紙を前記幅方向の両端部から整合する一対の整合部材を有し、
前記制御手段は、前記集積部に用紙が搬送されるタイミング及び／または前記集積部から用紙が排出されるタイミングにおいて、前記一対の整合部材の間隙の幅を、用紙の前記幅方向の寸法に合わせることを特徴とする請求項１〜６の何れか一項に記載の用紙処理装置。
【請求項８】
前記集積部には、前記第１整合手段により整合された用紙に対して折り目筋を形成するクリース手段が備えられることを特徴とする請求項１〜７の何れか一項に記載の用紙処理装置。
【請求項９】
前記第２整合手段の用紙搬送方向下流側には、搬送される用紙の前記幅方向の両端部における余白部分を断裁する断裁手段が備えられることを特徴とする請求項１〜８の何れか一項に記載の用紙処理装置。
【請求項１０】
用紙に対して画像を形成する画像形成装置と、
前記画像形成装置により画像が形成された用紙に所定の処理を行う請求項１〜９の何れか一項に記載の用紙処理装置と、
を備えたことを特徴とする画像形成システム。
【発明の詳細な説明】
【技術分野】
【０００１】
本発明は、用紙処理装置及び画像形成システムに関する。
【背景技術】
【０００２】
従来、複写機等の画像形成装置において、用紙の搬送方向に対する歪み（傾き）を補正する手法として、用紙を搬送方向と直交する幅方向（横方向）の両端部から押し込んで補正（整合）する一対の整合部材を有する横整合手段を備えた構成が知られている。
しかしながら、かかる横整合手段は、一対の整合部材が用紙の幅方向両端部から用紙を内側に押し込む構成となっているため、腰の弱い用紙、即ち剛性が低い用紙（薄紙）では整合時に用紙が歪曲してしまい整合し難いものである。
また、用紙の搬送方向に対する歪みを補正する他の手法として、搬送される用紙の先端を所定時間突き当てさせて撓み（ループ）を形成させることで、当該用紙の歪みを補正（整合）するレジストローラーを有するレジスト整合手段を備えた構成も知られている。
しかしながら、かかるレジスト整合手段は、腰の強い用紙、即ち剛性が高い用紙（厚紙）ではループをうまく形成できず、歪みを補正し難いものである。
このため、上記した２つの手法は、何れもそれぞれが苦手とする用紙が搬送されてきた場合に搬送方向に対する歪みをうまく補正できず、その後の処理に悪影響を及ぼす懸念があるものであった。
【０００３】
そこで、例えば、特許文献１には、用紙がレジスト待機位置で停止している状態で、レジストスタートに先立って用紙の剛性の高低を判断し、レジストローラー及び当該レジストローラーに用紙を搬送する給紙ローラーの駆動を制御することで、用紙のループ量を確保し、薄紙から厚紙まで対応しようとする技術が記載されている。
【先行技術文献】
【特許文献】
【０００４】
【特許文献１】特開２００８−５１８９０号公報
【発明の概要】
【発明が解決しようとする課題】
【０００５】
しかしながら、特許文献１に記載された技術では、剛性が高い用紙に対して無理にループを形成しようとすることで、当該用紙がレジストローラーのニップを突き抜けてしまうという現象も起こり得る。よって、剛性が高い用紙に対して十分なループが形成可能か否か定かではないものである。
即ち、特許文献１に記載された技術では、用紙によってはその厚さや剛性の高低等の条件に起因して搬送方向に対する歪みをうまく補正できず、下流へ安定して搬送を行えないという問題があった。
【０００６】
本発明は、上記課題に鑑みてなされたものであり、その目的は、用紙の搬送方向に対する歪みを適切に補正し、下流へ安定して搬送を行うことのできる用紙搬送装置及び画像形成システムを提供することである。
【課題を解決するための手段】
【０００７】
上記課題を解決するため、本発明の一態様によれば、
用紙処理装置において、
上流側から搬送されてきた用紙を、用紙搬送方向と直交する幅方向の両端部から押し込んで整合する第１整合手段と、
上流側から搬送されてきた用紙の先端を所定時間突き当てさせて当該用紙を整合する第２整合手段と、
前記第１整合手段を駆動させる第１整合駆動手段と、
前記第２整合手段を駆動させる第２整合駆動手段と、
前記第１整合駆動手段及び前記第２整合駆動手段の動作を制御する制御手段と、を備え、
前記制御手段は、ジョブ毎に設定される複数の条件を含む所定の条件に応じて、前記第１整合駆動手段及び前記第２整合駆動手段の駆動を制御して、前記第１整合手段の動作及び前記第２整合手段の動作を制御することを特徴とする。
【０００８】
また、本発明の他の態様によれば、
画像形成システムにおいて、
用紙に対して画像を形成する画像形成装置と、
前記画像形成装置により画像が形成された用紙に所定の処理を行う前記した用紙処理装置と、
を備えたことを特徴とする。
【発明の効果】
【０００９】
本発明によれば、用紙の搬送方向に対する歪みを適切に補正し、下流へ安定して搬送を行うことができる。
【図面の簡単な説明】
【００１０】
【図１】画像形成システムの全体構成を示す概略模式図である。
【図２】中間搬送装置及び用紙処理装置の外観を示す斜視図である。
【図３】中間搬送装置の内部の主要構成の一例を示す図であり、図２のIII−III線における断面図である。
【図４】横整合部及びレジスト整合部の一例を示す平面図である。
【図５】縦整合部の要部構成の一例を示す斜視図である。
【図６】画像形成システムの動作制御に係る主要構成を示すブロック図である。
【図７】中間搬送装置における整合動作決定処理を示すフローチャートである。
【図８】中間搬送装置における用紙搬送動作を示すフローチャートである。
【図９】図７の整合動作決定処理の変形例を示すフローチャートである。
【発明を実施するための形態】
【００１１】
以下、図面を参照して本発明の一実施形態である画像形成システム１について説明する。
【００１２】
図１は、画像形成システム１の全体構成を示す概略模式図である。
【００１３】
画像形成システム１は、画像形成装置１００と、中間搬送装置（用紙処理装置）２００と、中綴じ処理装置３００と、平綴じ処理装置４００と、を有している。
なお、以下の説明において、鉛直方向をＺ方向とし、図１に示す画像形成装置１００、中間搬送装置２００、中綴じ処理装置３００及び平綴じ処理装置４００が互いに接続される方向に沿う方向をＸ方向とし、Ｘ方向及びＺ方向に直交する方向をＹ方向とする。
また、Ｘ方向について前側及び後側を付して説明する。ここで、前側は、画像形成システム１における用紙搬送方向の上流側であり、後側は、その下流側である。
【００１４】
画像形成装置１００は、用紙に画像を形成する。
具体的には、画像形成装置１００は、例えば、記録媒体として備蓄された用紙を用紙トレイから引き出して搬送する搬送部、ビットマップデータに応じたトナー像を転写ローラー等の一次転写部材に現像する現像部、一次転写部材に現像されたトナー像を転写ドラム１５０等の二次転写部材に転写する一次転写部、二次転写部材に転写されたトナー像を搬送部により搬送される用紙に転写する二次転写部、転写されたトナー像を用紙に定着させる定着部、及び定着部による定着処理後の用紙を排出する排出部等を備え、用紙に画像を形成する。
また、画像形成装置１００は、画像が形成されて排出される用紙を中間搬送装置２００に受け渡す。即ち、画像形成システム１は、画像形成装置１００から排出される用紙が中間搬送装置２００に受け渡されるよう接続されている。
【００１５】
中間搬送装置２００は、用紙を一枚以上の所定枚数集積しつつ一時的に待機させてから、中綴じ処理装置３００に搬送することの可能な装置である。
【００１６】
ここで、図２は、中間搬送装置２００及び中綴じ処理装置３００の外観を示す斜視図である。また、図３は、中間搬送装置２００の内部の主要構成の一例を示す図であり、図２のIII−III線における断面図である。
【００１７】
中間搬送装置２００は、画像形成装置１００から一枚ずつ受け渡された用紙を受け取る搬入部２１０、搬入部２１０により搬入された用紙を一枚以上の所定枚数集積する集積部（スタッカー）２２０、集積部２２０に集積された用紙の用紙搬送方向両端部（用紙の縦方向の両端部）を整合する縦整合部２３０、縦整合部２３０に整合された用紙の用紙搬送方向と直交する幅方向の両端部（用紙の横方向の両端部）を整合する横整合部（第１整合手段）２４０、集積部２２０に集積された用紙に筋付け処理を行うための筋付け部（クリース手段）２５０、集積部２２０に集積された用紙を当該集積部２２０の外部に排出する排紙部２６０、排紙部２６０から排出された用紙の先端を突き当てさせて当該用紙の傾きを補正するレジスト整合部（第２整合手段）２７０、及び用紙の幅方向の両端部における余白部分を断裁するスリッター部（断裁手段）２８０等を備える。
【００１８】
搬入部２１０は、画像形成装置１００から搬入された用紙を受け取る上下一対の搬入板２１１ａ，２１１ｂと、受け取った用紙を挟み込んで搬送する一対の搬送ローラー２１２ａ，２１２ｂと、一対の搬送ローラー２１２ａ，２１２ｂにより搬送される用紙の搬送経路を第１搬送経路２０１又は第２搬送経路２０２に切り換える切り換えゲート２１３と、等を備えている。
第１搬送経路２０１は、用紙を下方に案内する搬送経路であり、第２搬送経路２０２は、用紙を水平に案内する搬送経路である。なお、第１搬送経路２０１及び第２搬送経路２０２は、そのＹ方向の幅が搬送される用紙のＹ方向の最大幅以上となるよう設けられており、画像形成システム１で取り扱われる全ての用紙サイズを通過させることができる。
画像形成装置１００から排出された用紙は、一対の搬入板２１１ａ，２１１ｂを介して中間搬送装置２００内に搬入され、図示しない駆動部により駆動される一対の搬送ローラー２１２ａ，２１２ｂにより挟み込まれて、切り換えゲート２１３により設定された第１搬送経路２０１又は第２搬送経路２０２の何れかに搬送される。
【００１９】
用紙の搬送経路が第１搬送経路２０１に切り換えられていた場合、用紙は第１搬送経路２０１に沿って下方へと誘導される。そして、第１搬送経路２０１を搬送されている用紙の搬送方向後端部が一対の搬送ローラー２１２ａ，２１２ｂによる挟持から開放される位置まで用紙が搬送されると、用紙は自由落下して第１搬送経路２０１の下部に向かって下降する。第１搬送経路２０１を落下した用紙は、落下により第１搬送経路２０１の下部に設けられた縦整合部２３０に到達し、縦整合部２３０のストッパー２３１（図４、５参照）によりその下端が担持される。
【００２０】
集積部２２０は、搬入部２１０から下方に分岐した第１搬送経路２０１の一部に形成される空間であって所定枚数の用紙を集積することができる。集積部２２０を形成する空間内に縦整合部２３０及び横整合部２４０が配設されている。
なお、用紙の集積枚数は、用紙に関する所定の条件として、予め設定されている。
【００２１】
ここで、図４は、集積部２２０、縦整合部２３０及び横整合部２４０の一例を示す平面図である。また、図５は、縦整合部２３０の要部構成の一例を示す斜視図である。
【００２２】
縦整合部２３０は、第１搬送経路２０１を落下した用紙の下端を担持して当該用紙の下端の位置を整合する縦整合を行う。
具体的に、縦整合部２３０は、図５に示すように、用紙搬送方向上流側が上部で用紙搬送方向下流側が下部となるよう上下方向に長尺なストッパー支持部ＳＳに沿って、上下方向（Ｚ方向）に移動可能なストッパー２３１を備えている。
なお、ストッパー２３１の上下方向への移動距離は、用紙のサイズに応じて決定される。
また、ストッパー支持部ＳＳは、第１搬送経路２０１の下部において横整合部２４０の下整合板２４２，２４２（後述）のＹ方向の中央となる位置に立設されている。
ストッパー２３１は、ストッパー支持部ＳＳを挟んでその表面が用紙面と略平行となるよう設けられた２つの第１側面部２３１ａと、当該２つの第１側面部２３１ａの一端（下端）部から用紙面に対して略垂直となるよう後方に向かって起立した２つの底面部２３１ｂと、２つの底面部２３１ｂの一端（後端）部から第１側面部２３１ａの板面に対してその表面が略平行となるように上方に向かって設けられた２つの第２側面部２３１ｃと、を備えている。
また、第２側面部２３１ｃは、第１側面部２３１ａよりもＹ方向の寸法が小さく形成されており、第１側面部２３１ａのストッパー支持部ＳＳ側の端部は、後述するグリッパー２３２，２３２と対向するようになっている。
ストッパー２３１は、第１搬送経路２０１の上流から落下してくる用紙を、第１側面部２３１ａ、底面部２３１ｂ、及び第２側面部２３１ｃにて形成される空間Ｐ内に受け止め、用紙の搬送方向の先端部（下端部）を底面部２３１ｂに突き当てて停止させる。これにより、用紙の搬送方向下端の位置が整合され、ストッパー２３１により用紙が支持された状態となる。用紙は、このようにして下端の位置がストッパー２３１によって整合されることにより、その上端の位置も整合されることとなる。
【００２３】
ストッパー２３１には、図５に示すように、ストッパー２３１に支持された用紙をその幅方向の中央部において挟持するための二つのグリッパー２３２，２３２が備えられている。
二つのグリッパー２３２，２３２は、用紙搬送方向に直交し且つ用紙面に平行な方向（Ｙ方向）に沿って延在する回動軸Ｇ１により、図５中の矢印（ｅ）の方向及び矢印（ｅ）の逆方向に回動することができる。
具体的に、ストッパー２３１に用紙が支持されている場合、中間搬送制御部５０４（図６参照）の制御により回動軸Ｇ１が前方に回動することで、二つのグリッパー２３２，２３２は図５中の矢印（ｅ）の方向に回動して用紙表面に当接し、第１側面部２３１ａと共に用紙を挟持することとなる。
なお、こうした二つのグリッパー２３２，２３２による用紙挟持動作は、後述する横整合部２４０による用紙幅方向の整合が行われる場合には、その後に実行される。
また、二つのグリッパー２３２，２３２は、中間搬送制御部５０４の制御により回動軸Ｇ１が後方に回動することで、図５中の矢印（ｅ）と逆方向に回動する。これにより、グリッパー２３２，２３２は、用紙表面から離間し、用紙の挟持が解除される。
なお、こうした二つのグリッパー２３２，２３２による用紙の挟持の解除は、後述する一対の搬送ローラー２６１ａ，２６１ｂにより用紙がニップされた後に実行される。
【００２４】
横整合部２４０は、用紙の搬送方向に直交する幅方向の両端部（用紙のＹ方向の両端部）から当該用紙を内側に押し込んで、縦整合部２３０により縦整合された用紙をその幅方向に整合する。
具体的に、横整合部２４０は、落下により第１搬送経路２０１に下部に向かって進入する用紙の上部を挟む上整合板２４１，２４１（一対の整合部材）と、当該用紙の下部を挟む下整合板２４２，２４２（一対の整合部材）と、上整合板２４１，２４１及び下整合板２４２，２４２を駆動させる駆動部（第１整合駆動手段）２４３（図６参照）と、等を備える。
【００２５】
上整合板２４１，２４１及び下整合板２４２，２４２は、駆動部２４３により駆動され、Ｙ方向において互いに近接又は離間するよう往復移動可能に設けられている。
第１搬送経路２０１に進入して縦整合部２３０のストッパー２３１により下端部を担持された用紙に対し、上整合板２４１，２４１が当該用紙の上部の幅方向の両端に対して当接すると共に、下整合板２４２，２４２が当該用紙の下部の幅方向の両端に対して当接することで用紙の横整合（幅整合）が行われる。
これにより、用紙の幅方向中心位置と、搬送方向の幅方向中心位置とを合致させる中心位置合わせを行うことができる。また、用紙が複数枚の場合には、その幅方向の端部を揃えることができる。
ここで、横整合部２４０においては、個々の用紙が有する幅方向のサイズ差に対応するため、左右の上整合板２４１，２４１同士、及び下整合板２４２，２４２同士が、用紙の幅方向の規定サイズよりも僅かに狭い距離まで近づくようにその移動距離が制御されている。このため、上整合板２４１，２４１及び下整合板２４２，２４２は、用紙の幅方向の両端部を押圧することとなり、正確な横整合を行うことが可能である。
また、集積部２２０に用紙が進入してくるタイミング、及び集積部２２０から用紙が排出されるタイミングにおいては、上整合板２４１，２４１同士及び下整合板２４２，２４２同士の間隙の幅が、用紙の幅方向の規定サイズ或いはその規定サイズより僅かに広い距離となるよう制御されている。このため、上整合板２４１，２４１及び下整合板２４２，２４２は、集積部２２０に用紙が進入してくる際、及び集積部２２０から用紙が排出される際にガイドとして機能し、用紙のあばれを防止することができる。
【００２６】
なお、本実施形態においては、上述のように、上整合板２４１，２４１及び下整合板２４２，２４２が、集積部２２０に用紙が進入してくるタイミング、及び集積部２２０から用紙が排出されるタイミングにガイドとして機能する構成を例示して説明したが、これらのどちらか一方のタイミングのみガイドとして機能させることとしても良く、また、どちらのタイミングにおいてもガイドとして機能させない構成としても良い。
【００２７】
駆動部２４３は、中間搬送制御部５０４の制御により、縦整合部２３０により用紙に対する縦整合が行われた後、上整合板２４１，２４１及び下整合板２４２，２４２をＹ方向に沿って左右対称に移動させ、上記した横整合動作を実行する。
ここで、本実施形態においては、かかる横整合動作は、集積部２２０に集積される用紙に関する予め設定された所定の条件に応じて、実施／非実施が切り換えられるようになっている。
用紙に関する所定の条件とは、ジョブ毎に予めユーザーにより設定されるものであって、例えば、用紙の種類、坪量、集積枚数、処理モード（中綴じ処理、折り処理、平綴じ処理等）等が含まれる。
例えば、集積部２２０に集積される用紙枚数が１枚で、且つ後続の工程で中心位置合わせが必要な処理を行う処理モードの場合に、横整合動作が実行される。
また、集積部２２０に集積される用紙枚数が複数枚の処理モードの場合に、横整合動作が実行される。
なお、本実施形態の中間搬送装置２００は、集積部２２０に集積される用紙毎に、当該用紙に関する所定の条件に応じて、かかる横整合動作及び後述するレジスト整合動作が適切に組み合わされて、用紙の搬送時の歪みを適切に補正するものである。
【００２８】
筋付け部２５０は、筋付け折りナイフ２５１と、受け台２５２と、カム２５３と、を有する。
筋付け折りナイフ２５１は、中間搬送制御部５０４の制御によりカム２５３が回転することで図３の前方向に移動し、受け台２５２に押し付けられた状態となる。受け台２５２は、筋付け折りナイフ２５１を受ける台である。
用紙に筋付けが行われる場合、縦整合部２３０のストッパー２３１の昇降により、用紙の折り目筋を入れる位置と筋付け折りナイフ２５１とが対向する状態となり、その状態において筋付け折りナイフ２５１が移動して、用紙を受け台２５２に押し付けることで、用紙に折り目筋が形成される。
【００２９】
排紙部２６０は、先行する用紙に対する各種処理（中綴じ処理、折り処理、平綴じ処理、断裁処理等）が終了するタイミングに合わせて、集積部２２０に集積された用紙を排出する。
排紙部２６０は、一対の搬送ローラー２６１ａ，２６１ｂと、上下一対のガイド板２６２ａ，２６２ｂと、ループローラー２６３ａ，２６３ｂと、等を備えている。
【００３０】
一対の搬送ローラー２６１ａ，２６１ｂは、図３に示すように、第１搬送経路２０１のＺ方向の略中央部において、集積部２２０に集積された用紙を挟んで対向するように設けられている。
一対の搬送ローラー２６１ａ，２６１ｂは、用紙が第１搬送経路２０１に進入してくる際には離間しており、用紙の進入を妨げることはない。
また、一対の搬送ローラー２６１ａ，２６１ｂは、駆動部Ｍ１（図６参照）の駆動により用紙が第１搬送経路２０１から排出される際には圧着した状態で回転し、用紙をガイド板２６２ａ，２６２ｂに向けて搬送する。
具体的に、用紙に対してグリッパー２３２，２３２による挟持が行われると、一対の搬送ローラー２６１ａ，２６１ｂは、その挟持された状態の用紙をニップする。そして、グリッパー２３２，２３２による挟持が解除されると、一対の搬送ローラー２６１ａ，２６１ｂは、用紙の搬送を開始する。用紙は、ループローラー２６３ａ，２６３ｂを介して、湾曲した搬送経路２６４を搬送され、上下一対のガイド板２６２ａ，２６２ｂに到達する。
【００３１】
ガイド板２６２ａは、用紙の搬送経路の上方に固設され、Ｙ方向に沿って長尺な板体である。また、ガイド板２６２ｂは、ガイド板２６２ａの下方においてガイド板２６２ａから所定距離だけ離間した位置に設けられ、Ｙ方向に沿って長尺な板体である。
ループローラー２６３ａ，２６３ｂを介して搬送されてきた用紙は、ガイド板２６２ａとガイド板２６２ｂにより形成される間隙に搬入され、ガイド板２６２ａとガイド板２６２ｂにより挟持されることにより、用紙の整合状態が損なわれることなく後方に搬送される。
【００３２】
レジスト整合部２７０は、一対のレジストローラー２７１，２７２と、駆動部（第２整合駆動手段）２７３（図６参照）と、を備えている。
【００３３】
一対のレジストローラー２７１，２７２は、一対のガイド板２６２ａ，２６２ｂの用紙搬送方向下流側に設けられている。
かかる一対のレジストローラー２７１，２７２は、駆動部２７３の駆動により用紙搬送方向の逆方向に所定時間回転し、集積部２２０から排出される用紙の先端を突き当てさせることで当該用紙の斜行を補正するレジスト整合動作を実行する。
レジスト整合動作を実行する場合、一対のレジストローラー２７１，２７２は駆動部２７３の駆動により用紙搬送方向の逆方向に所定時間回転し、搬送されてきた用紙の先端を当該一対のレジストローラー２７１，２７２に当接させた状態とする。一対のレジストローラー２７１，２７２は、所定時間逆方向に回転するので、その間に用紙に撓み（ループ）が形成される。
一対のレジストローラー２７１，２７２は、所定時間用紙搬送方向の逆方向に回転した後には、駆動部２７３の駆動により用紙搬送方向の順方向に回転を開始する。
これにより、それまでの搬送で用紙が斜行していた場合に、その斜行が補正され、用紙搬送方向に対して傾きのない状態の用紙を後方に搬送できることとなる。
【００３４】
駆動部２７３は、中間搬送制御部５０４の制御により、一対の搬送ローラー２６１ａ，２６１ｂにより用紙が搬送されてきた際に、一対のレジストローラー２７１，２７２を回転駆動させ、上記したレジスト整合動作を実行する。
ここで、本実施形態においては、かかるレジスト整合動作は、集積部２２０に集積される用紙に関する予め設定された所定の条件に応じて、実施／非実施が切り換えられるようになっている。
用紙に関する所定の条件とは、ジョブ毎に予めユーザーにより設定されるものであって、例えば、用紙の種類、坪量、集積枚数、処理モード（中綴じ処理、折り処理、平綴じ処理等）等が含まれる。
具体的には、集積部２２０に集積される用紙枚数が１枚で、且つ当該用紙の坪量が予め設定された所定値（例えば、２１６ｇ／ｍ２）以下の場合、レジスト整合動作が実行される。
なお、本実施形態の中間搬送装置２００は、集積部２２０に集積される用紙毎に、当該用紙に関する所定の条件に応じて、かかるレレジスト整合動作及び前述した横整合動作が適切に組み合わされて、用紙の搬送時の歪みを適切に補正するものである。
【００３５】
スリッター部２８０は、一対のレジストローラー２７１，２７２の用紙搬送方向下流側に配され、一対のレジストローラー２７１，２７２の順方向の回転により搬送される用紙の幅方向の両端部の余白部分を断裁するスリッター刃２８１，２８２と、断裁された余白部分を収容する屑箱２８３と、を備えている。
【００３６】
スリッター刃２８１，２８２は、スリッター部２８０内を通過する用紙の通過経路（搬送経路）を上下方向から挟んで互いに対向する位置に設けられた円盤形の刃物であり、盤面がＺ平面に沿うよう設けられている。
スリッター刃２８１，２８２は、駆動部Ｍ２（図６参照）の駆動によりそれぞれの回転軸２８１ａ，２８２ａ回りに同一速度で互いに逆方向に回転し、Ｙ方向について互いに噛み合うようになっている。
具体的には、スリッター刃２８１，２８２は、Ｙ方向について互い違いとなって隣接するよう設けられ、用紙は、隣接するスリッター刃２８１，２８２の間で切断される。
また、かかるスリッター刃２８１，２８２は、用紙の搬送経路の両側部（Ｙ方向両側部）において一組ずつ備えられており、これら二組のスリッター刃２８１，２８２は、互いに同一の動作を行うようになっている。
また、これら二組のスリッター刃２８１，２８２は、それぞれＹ方向に移動可能であって、二組のスリッター刃２８１，２８２の距離は搬送される用紙の幅に合わせて適宜変更可能である。
スリッター刃２８１，２８２により余白部分を切り落とされた用紙は、中綴じ処理装置３００に受け渡される。また、切り落とされた余白部分は、スリッター刃２８１，２８２の下方に設置された屑箱２８３に落下する。
【００３７】
屑箱２８３は、スリッター刃２８１，２８２の下方に設置され、上面が開放された箱体であって、スリッター刃２８１，２８２により切り落とされて落下した余白部分を収容する。屑箱２８３は、中間搬送装置２００から取出し可能であって、ユーザーにより任意のタイミングで取出されて、内部に収容した収容物が廃棄される。
【００３８】
図１に戻って、中綴じ処理装置３００は、用紙を中折り（二つ折り）にする中折り処理、中折りされた用紙を所定枚数重ね合わせて綴じることにより中綴じ冊子を作成する中綴じ処理、中綴じ冊子の小口断裁を行う小口断裁処理等を行う装置である。
具体的には、中綴じ処理装置３００は、中間搬送装置２００から受け渡された用紙をＹ方向に沿って中折りする中折り部３１０、中折りした用紙をＹ方向に沿って排出する排出機構３２０、排出機構３２０により排出された用紙を集積する集積手段３３０、集積手段３３０に所定枚数の用紙が集積された後、用紙の折り目上に打針して中綴じ冊子を形成する中綴じ部３４０、形成した中綴じ冊子の小口端部を断裁する断裁部３５０、及び小口端部の断裁された中綴じ冊子を排出する排出部３６０等を備える。
なお、中綴じ処理装置３００は、中間搬送装置２００から受け渡された用紙に対して、中綴じ処理装置３００による各種の処理の一部又は全部を施さずに平綴じ処理装置４００に受け渡すこともできる。また、中綴じ処理装置３００は、さらに、中綴じ冊子の背表紙を整形するスクエアフォールド処理を行うための処理部等を備えていてもよい。
【００３９】
平綴じ処理装置４００は、複数の用紙の平綴じ処理等を行う。
具体的には、平綴じ処理装置４００は、例えば、中綴じ処理装置３００から受け渡された複数の用紙にステープル処理を施すステープル処理部、ステープル処理が施された複数の用紙のうち背表紙と平行な端部を揃えるために当該端部の一部を切り落とす小口断裁を行うページ端断裁部、及び連結された各装置による処理後の用紙を排出する排出部等を備える。
なお、平綴じ処理装置４００は、中綴じ処理装置３００から受け渡された用紙に対して、平綴じ処理装置４００による各種の処理の一部又は全部を施さずに排出することもできる。
【００４０】
次に、画像形成システム１の動作制御について説明する。
図６は、画像形成システム１の動作制御に係る主要構成を示すブロック図である。
【００４１】
画像形成システム１は、画像形成システム１の動作に係るユーザーの入力操作を受け付け、画像形成システム１の動作に係る表示出力を行う操作表示部５０１と、画像形成システム１全体の動作制御を行う中央制御部５０２と、画像形成装置１００の動作制御を行う画像形成制御部５０３と、中間搬送装置２００の動作制御を行う中間搬送制御部５０４と、中綴じ処理装置３００の動作制御を行う中綴じ処理制御部５０５と、平綴じ処理装置４００の動作制御を行う平綴じ処理制御部５０６と、を有する。
【００４２】
操作表示部５０１は、例えば、タッチパネル方式の操作表示装置や各種の入力のためのスイッチ、キー等を有し、ユーザーの入力内容に応じた信号を中央制御部５０２に送信する。
中央制御部５０２、画像形成制御部５０３、中間搬送制御部５０４、中綴じ処理制御部５０５及び平綴じ処理制御部５０６はそれぞれ、ＣＰＵ、ＲＡＭ、ＲＯＭ等を有し、処理内容に応じたソフトウェア・プログラムや各種のデータを読み出して実行処理する。
【００４３】
中央制御部５０２は、操作表示部５０１を介して入力されたユーザーの入力内容に応じて、画像形成システム１に係る各種の条件の設定を行う。そして、中央制御部５０２は、画像形成制御部５０３、中間搬送制御部５０４、中綴じ処理制御部５０５及び平綴じ処理制御部５０６の各制御部に対して設定内容に応じた処理を施すための命令を出力する。各制御部は、命令に応じてそれぞれの制御対象である装置の動作を制御する。
【００４４】
以下、中間搬送制御部５０４の制御による、横整合部２４０及びレジスト整合部２７０の整合動作決定処理について説明する。
図７は、横整合部２４０及びレジスト整合部２７０の整合動作決定処理を示すフローチャートである。
【００４５】
なお、かかる処理の前提として、ユーザーによる操作表示部５０１の操作により、中間搬送装置２００の動作に関する各種条件が設定される。
ここで、各種条件には、中間搬送装置２００に搬送されてくる用紙に関する所定の条件が含まれ、用紙に関する所定の条件には、例えば、用紙の種類、坪量、集積枚数、処理モード（中綴じ処理、折り処理、平綴じ処理等）等などが含まれる。
また、処理モードの設定の中には、例えば、用紙搬送方向両側部の余白部分の断裁処理の実施／非実施、断裁される余白部分の幅などの設定が含まれる。
また、各種条件には、横整合部２４０及びレジスト整合部２７０の整合動作決定処理において、動作を切り換える基準値（予め設定された所定値）となる用紙の坪量の値も含まれる。かかる基準値は、例えば、２１６ｇ／ｍ２に設定され、ユーザーによる操作表示部５０１の操作により適宜変更可能である。
【００４６】
先ず、ステップＳ１０１において、中間搬送制御部５０４は、集積部２２０に集積される用紙が１枚か否かを判断し、集積される用紙が１枚でない場合（ステップＳ１０１：ＮＯ）、後述するステップＳ１０７に移行する。
一方、集積される用紙が１枚の場合（ステップＳ１０１：ＹＥＳ）、続くステップＳ１０２において、中間搬送制御部５０４は、集積される用紙の坪量が所定値（ここでは２１６ｇ／ｍ２）より大きいか否かを判断する。
【００４７】
集積される用紙の坪量が所定値以下の場合（ステップＳ１０２：ＮＯ）、続くステップＳ１０３において、中間搬送制御部５０４は、後続処理に用紙の幅方向の中心位置合わせを必要とするものがあるか否かを判断する。
そして、後続処理に用紙の幅方向の中心位置合わせを必要とするものがある場合（ステップＳ１０３：ＹＥＳ）、続くステップＳ１０４において、中間搬送制御部５０４は、横整合部２４０における横整合動作及びレジスト整合部２７０におけるレジスト整合動作を実行することを決定し、本処理を終了する。
一方、後続処理に用紙の幅方向の中心位置合わせを必要とするものがない場合（ステップＳ１０３：ＮＯ）、続くステップＳ１０５において、中間搬送制御部５０４は、レジスト整合部２７０におけるレジスト整合動作のみを行うことを決定し、本処理を終了する。
【００４８】
また、集積される用紙の坪量が所定値より大きい場合（ステップＳ１０２：ＹＥＳ）、続くステップＳ１０６において、中間搬送制御部５０４は、後続処理に用紙の幅方向の中心位置合わせを必要とするものがあるか否かを判断する。
そして、後続処理に用紙の幅方向の中心位置合わせを必要とするものがある場合（ステップＳ１０６：ＹＥＳ）、続くステップＳ１０７において、中間搬送制御部５０４は、横整合部２４０における横整合動作のみを行うことを決定し、本処理を終了する。
一方、後続処理に用紙の幅方向の中心位置合わせを必要とするものがない場合（ステップＳ１０６：ＮＯ）、続くステップＳ１０８において、中間搬送制御部５０４は、横整合部２４０による整合動作及びレジスト整合部２７０による整合動作を行わないことを決定し、本処理を終了する。
【００４９】
このように、本実施形態における整合動作決定処理によれば、集積部２２０に集積される用紙に関する所定の条件（用紙の集積枚数、坪量、処理モード）に応じて、横整合部２４０及びレジスト整合部２７０の整合動作の実行が切り換えられる。
【００５０】
次に、中間搬送制御部５０４の制御による、中間搬送装置２００の用紙搬送動作について説明する。
図８は、中間搬送装置２００の用紙搬送動作を示すフローチャートである。
【００５１】
先ず、ステップＳ２０１において、中間搬送制御部５０４は、搬入部２１０を介して画像形成装置１００から受け渡された用紙を所定枚数だけ集積部２２０に集積させる。
【００５２】
次いで、ステップＳ２０２において、中間搬送制御部５０４は、集積部２２０に集積された用紙に対して、縦整合部２３０により縦整合を行う。
【００５３】
次いで、ステップＳ２０３において、中間搬送制御部５０４は、縦整合された用紙に対して、前述した整合動作決定処理により、横整合部２４０における横整合動作を行うと決定されているか否かを判断し、横整合部２４０による横整合動作を行わないと決定されている場合（ステップＳ２０３：ＮＯ）、後述のステップＳ２０５に移行する。
【００５４】
一方、横整合部２４０における横整合動作を行うと決定されている場合（ステップＳ２０３：ＹＥＳ）、続くステップＳ２０４において、中間搬送制御部５０４は、縦整合された用紙に対して、横整合部２４０における横整合動作を行う。
具体的には、中間搬送制御部５０４は、駆動部２４３を駆動して、上整合板２４１，２４１同士、及び下整合板２４２，２４２同士をＹ方向に沿って互いに近づく方向に移動させ、用紙の幅方向の両端を押圧する。これにより、用紙の幅にばらつきがあったとしても、横整合を確実に行うことができる。また、用紙の幅方向の中心位置を、搬送経路の幅方向の中心位置と合致させることができる。
【００５５】
次いで、ステップＳ２０５において、中間搬送制御部５０４は、グリッパー２３２，２３２により、ストッパー２３１に支持された状態の用紙をその幅方向中央部において挟持する。
【００５６】
次いで、ステップＳ２０６において、中間搬送制御部５０４は、一対の搬送ローラー２６１ａ，２６１ｂを駆動して、挟持された状態の用紙をニップする。
【００５７】
次いで、ステップＳ２０７において、中間搬送制御部５０４は、グリッパー２３２，２３２による用紙の挟持を解除する。
【００５８】
次いで、ステップＳ２０８において、中間搬送制御部５０４は、用紙を排出する。
具体的には、中間搬送制御部５０４は、一対の搬送ローラー２６１ａ，２６１ｂを駆動し、ループローラー２６３ａ，２６３ｂを介してガイド板２６２ａ，２６２ｂに向けて用紙を搬送する。
【００５９】
次いで、ステップＳ２０９において、中間搬送制御部５０４は、集積部２２０から排出されてきた用紙に対して、前述した整合動作決定処理により、レジスト整合部２７０におけるレジスト整合動作を行うと決定されているか否かを判断し、レジスト整合部２７０における整合処理を行わないと決定されている場合（ステップＳ２０９：ＮＯ）、一対のレジストローラー２７１，２７２を用紙搬送方向の順方向に回転させ、用紙を後続の処理部に搬送して、本処理を終了する。
【００６０】
一方、レジスト整合部２７０による整合処理を行うと決定されている場合（ステップＳ２０９：ＹＥＳ）、続くステップＳ１１０において、中間搬送制御部５０４は、レジスト整合部２７０におけるレジスト整合動作を行い、その後、用紙を後続の処理部に搬送して、本処理を終了する。
具体的には、中間搬送制御部５０４は、駆動部２７３を駆動して一対のレジストローラー２７１，２７２を用紙搬送方向の逆方向に所定時間回転させ、搬送されてきた用紙の先端を当該一対のレジストローラー２７１，２７２に所定時間当接させてループを形成させる。その後、中間搬送制御部５０４は、駆動部２７３を駆動して一対のレジストローラー２７１，２７２を用紙搬送方向の順方向に回転させる。これにより、それまでの搬送で用紙が斜行していたとしてもこれが補正され、斜行が補正された状態の用紙を後続の処理部に搬送することができる。
【００６１】
以上のように、本実施形態によれば、上流側から搬送されてきた用紙を、用紙搬送方向と直交する幅方向の両端部から押し込んで整合する横整合部２４０と、上流側から搬送されてきた用紙の先端を所定時間突き当てさせて当該用紙を整合するレジスト整合部２７０と、横整合部２４０を駆動させる駆動部２４３と、レジスト整合部２７０を駆動させる駆動部２７３と、駆動部２４３及び駆動部２７３の動作を制御する中間搬送制御部５０４と、を備え、中間搬送制御部５０４は、搬送されてきた用紙に関する所定の条件に応じて駆動部２４３及び駆動部２７３の動作を切り換える。
このため、用紙に関する所定の条件に応じて適切な整合動作が実行されることとなり、用紙毎に適切な整合動作が実行されるので、その搬送方向に対する歪みが適切に補正され、下流へ安定して用紙の搬送を行うことができる。
【００６２】
また、本実施形態によれば、中間搬送制御部５０４は、所定の条件に基づいて、搬送されてきた用紙の坪量が予め設定された所定値より大きいか否か判断し、用紙の坪量が所定値より大きい場合には、横整合部２４０のみを駆動させ、用紙の坪量が所定値以下の場合には、横整合部２４０及びレジスト整合部２７０を駆動させる。
このため、用紙の坪量に応じて、横整合部２４０及びレジスト整合部２７０の駆動を切り換えることができる。
具体的に、坪量が所定値より大きい用紙（厚紙等）は、横整合部２４０により中心合わせが行われた後、整合部２７０によるレジスト整合動作が行われることなく下流に搬送されるので、レジスト整合動作の効果を期待できない厚紙等の用紙に対しては、レジスト整合の実行を行わないこととなる。
また、坪量が所定以下の用紙（薄紙等）は、横整合部２４０により中心合わせが行われた後、レジスト整合部２７０において斜行が補正されるので、より正確な整合動作を行えることとなる。
よって、用紙毎に適切な整合動作が実行され、その搬送方向に対する歪みが適切に補正されるので、下流へ安定して用紙の搬送を行うことができる。
【００６３】
また、本実施形態によれば、上流側から搬送されてきた用紙を一枚以上集積する集積部２２０を備え、横整合部２４０は、集積部２２０に集積される用紙に対する整合を行うものであって、レジスト整合部２７０は、集積部２２０から排出される用紙に対する整合を行うものであって、中間搬送制御部５０４は、所定の条件に基づいて、集積部２２０に集積される用紙の枚数が一枚か否かを判断し、集積部２２０に集積される用紙の枚数が一枚の場合に、搬送されてきた用紙の坪量が所定値より大きいか否か判断する。
このため、集積部２２０に集積される用紙の集積枚数が一枚の場合に、当該用紙の坪量に応じて、横整合部２４０及びレジスト整合部２７０の駆動を切り換えることができる。
具体的に、集積部２２０に、坪量が所定値より大きい用紙（厚紙等）が一枚集積された場合には、当該用紙は、集積部２２０において横整合部２４０により中心合わせが行われた後、整合部２７０によるレジスト整合動作が行われることなく下流に搬送されるので、レジスト整合動作の効果を期待できない厚紙等の用紙に対しては、レジスト整合の実行を行わないこととなる。
また、集積部２２０に、坪量が所定値以下の用紙（薄紙等）が一枚集積された場合には、当該用紙は、集積部２２０において横整合部２４０により中心合わせが行われた後、レジスト整合部２７０において斜行が補正されるので、より正確な整合動作を行えることとなる。
よって、用紙毎に適切な整合動作が実行され、その搬送方向に対する歪みが適切に補正されるので、下流へ安定して用紙の搬送を行うことができる。
【００６４】
また、中間搬送制御部５０４は、集積部２２０に集積される用紙の枚数が複数枚の場合には、横整合部２４０のみを動作させる。
このため、集積部２２０に集積される用紙の枚数が複数枚の場合、その複数枚の用紙の用紙束は、集積部２２０において横整合部２４０により横整合され、その後、レジスト整合部２７０によるレジスト整合動作が行われることなく下流に搬送されるので、レジスト整合動作の効果を期待できない複数枚重なった状態の用紙に対しては、レジスト整合の実行を行わないこととなる。
よって、複数枚重なった状態の用紙に対して適切な整合動作が実行され、その搬送方向に対する歪みが適切に補正されるので、下流へ安定して用紙の搬送を行うことができる。
【００６５】
また、本実施形態によれば、中間搬送制御部５０４は、集積部２２０に集積される用紙の枚数が一枚で且つ当該用紙の坪量が所定値以下の場合、所定の条件に基づいて、後続処理に用紙の幅方向の中心位置合わせを必要とするものがあるか否かを更に判断し、後続処理に用紙の幅方向の中心位置合わせを必要とするものがあると判断した場合には、横整合部２４０及びレジスト整合部２７０を駆動させ、後続処理に用紙の幅方向の中心位置合わせを必要とするものがないと判断した場合には、レジスト整合部２７０のみを動作させる。
このため、集積部２２０に一枚で集積される、坪量が所定値以下の用紙（薄紙等）に対して、後続処理に用紙の幅方向の中心位置合わせを必要とするもの以外には、横整合を行わないこととなり、生産性を向上させることができる。
よって、後続処理に応じた適切な整合動作を実行することができる。
【００６６】
また、本実施形態によれば、中間搬送制御部５０４は、集積部２２０に集積される用紙の枚数が一枚で且つ当該用紙の坪量が所定値より大きい場合、所定の条件に基づいて、後続処理に用紙の幅方向の中心位置合わせを必要とするものがあるか否かを更に判断し、後続処理に用紙の幅方向の中心位置合わせを必要とするものがあると判断した場合には、横整合部２４０を駆動させ、後続処理に用紙の幅方向の中心位置合わせを必要とするものがないと判断した場合には、横整合部２４０を駆動させない。
このため、集積部２２０に一枚で集積される、坪量が所定値より大きい用紙（厚紙等）に対して、後続処理に用紙の幅方向の中心位置合わせを必要とするもの以外には、横整合を行わないこととなり、生産性を向上させることができる。
よって、後続処理に応じた適切な整合動作を実行することができる。
【００６７】
また、本実施形態によれば、横整合部２４０とレジスト整合部２７０との間の用紙搬送経路には、湾曲した搬送経路２６４が含まれる。
このため、搬送経路を直線状に形成する場合と比較して、搬送経路の設置スペースを小さくすることができる。このとき、湾曲した搬送経路２６４により搬送される用紙（特に、坪量が所定値以下の用紙）が歪みやすくなるが、本実施形態によれば、用紙の条件に応じて適切な整合動作が実行されるため、湾曲した搬送経路２６４においても安定した用紙搬送を実現することができる。
【００６８】
また、本実施形態によれば、横整合部２４０は、幅方向に沿って往復移動可能であって、用紙を幅方向の両端部から整合する上整合板２４１，２４１及び下整合板２４２，２４２を有し、中間搬送制御部５０４は、集積部２２０に用紙が搬送されるタイミング及び／又は集積部２２０から用紙が排出されるタイミングにおいて、上整合板２４１，２４１及び下整合板２４２，２４２の間隙の幅を、用紙の幅方向の寸法に合わせる。
このため、第１搬送経路２０１に用紙が進入してくる際、及び／又は第１搬送経路２０１から用紙が排出される際に、上整合板２４１，２４１及び下整合板２４２，２４２がガイドとして機能し、用紙のあばれを抑制できるので、より正確な横整合動作を行うことができる。
【００６９】
また、本実施形態によれば、集積部２２０には、横整合部２４０により整合された用紙に対して折り目筋を形成する筋付け部２５０が備えられる。
このため、横整合動作が適切に実施された後に、集積部２２０において、用紙の幅方向の中心位置が搬送経路の幅方向の中心位置と合致した状態の用紙に対して折り目筋を形成することができることとなるので、正確な折り目筋を形成することができる。
【００７０】
また、本実施形態によれば、レジスト整合部２７０の用紙搬送方向下流側には、搬送される用紙の幅方向の両端部における余白部分を断裁するスリッター部２８０が備えられる。
このため、横整合動作及びレジスト整合動作が適切に実施されることで、用紙の幅方向の中心位置が搬送方向の幅方向の中心位置からずれることなく搬送されてきた用紙に対して余白部分を断裁することができることとなるので、正確な断裁処理を行うことができる。
【００７１】
なお、本実施形態によれば、整合動作決定処理において、後続処理に用紙の幅方向の中心位置合わせを必要とするものがあるか否かを判断する構成を例示して説明しているが、かかる判断を行わない構成とすることもできる。
この場合には、図９に示すように、中間搬送制御部５０４は、集積部２２０に集積される用紙の枚数が一枚で且つ当該用紙の坪量が所定値以下の場合（ステップＳ１０２：ＮＯ）には、横整合部２４０及びレジスト整合部２７０により整合動作を行うことを決定する。また、中間搬送制御部５０４は、集積部２２０に集積される用紙の枚数が複数枚の場合（ステップＳ１０１：ＮＯ）、及び集積部２２０に集積される用紙の枚数が一枚で且つ当該用紙の坪量が所定値より大きい場合（ステップＳ１０２：ＹＥＳ）には、横整合部２４０のみにより整合動作を行うことを決定する。
かかる構成であっても、集積部２２０に集積される用紙の枚数、及び坪量に応じて適切な整合動作が実行されるので、下流への安定した用紙搬送を実現することができる。
【００７２】
また、本実施形態によれば、縦整合部２３０の整合後、或いは縦整合部２３０及び横整合部２４０の整合後、グリッパー２３２，２３２により用紙を挟持する構成を例示して説明したが、グリッパー２３２，２３２の代わりに一対の搬送ローラー２６１ａ，２６１ｂにより挟持することとしても良い。その場合、図８に示したステップＳ２０５とステップＳ２０６とが同時に実行されることとなる。また、この場合、グリッパー２３２，２３２を備えない構成とすることもできる。
【００７３】
また、上記実施形態においては、中間搬送装置２００に筋付け部２５０及びスリッター部２８０が備えられた構成を例示して説明しているが、筋付け処理及び断裁処理を行わない場合にはこれらを備えない構成であっても良い。
【００７４】
また、上記実施形態においては、縦整合部２３０による縦整合が終了した後、横整合部２４０による横整合を行う構成を例示して説明したが、縦整合と横整合とを同時に行うことも可能である。
【００７５】
また、上記実施形態においては、湾曲した搬送経路２６４を備えた構成を例示して説明したが、搬送経路２６４を直線状にすることもできる。こうした構成とした際には、当該搬送経路を搬送される用紙（特に、坪量が所定値以下の用紙）の歪みが発生しづらいと考えられるため、坪量が所定値以下の一枚の用紙を搬送する場合には、横整合動作は行わず、レジスト整合動作のみを行うこととしても良い。
【００７６】
また、上記実施形態においては、「上流側から搬送されてきた用紙」として、画像形成装置１から搬送された用紙が、集積部２２０に集積される構成を例示して説明したが、例えば、中間搬送装置２００の搬入部２１０と集積部２２０との間に任意の処理部を設け、当該処理部から搬送された用紙が集積部２２０に集積される構成としても良い。また、画像形成装置１以外の装置から搬送された用紙が集積部２２０に集積されることとしても良い。
【符号の説明】
【００７７】
１  画像形成システム
１００  画像形成装置
２００  中間搬送装置（用紙処理装置）
２１０  搬入部
２０１  第１搬送経路
２０２  第２搬送経路
２１１ａ，２１１ｂ  搬入板
２１２ａ，２１２ｂ  搬送ローラー
２２０  集積部
２３０  縦整合部
２３１  ストッパー
２３２，２３２  グリッパー
２４０  横整合部（第１整合手段）
２４１，２４１  上整合板（一対の整合部材）
２４２，２４２  下整合板（一対の整合部材）
２４３  駆動部（第１整合駆動手段）
２５０  筋付け部（クリース手段）
２５１  筋付け折りナイフ
２５２  受け台
２５３  カム
２６０  排紙部
２６１ａ，２６１ｂ  搬送ローラー
２６２ａ，２６２ｂ  ガイド板
２６３ａ，２６３ｂ  ループローラー
Ｍ１  駆動部
２６４  搬送経路
２７０  レジスト整合部（第２整合手段）
２７１，２７２  レジストローラー
２７３  駆動部（第２整合駆動手段）
２８０  スリッター部（断裁手段）
２８１，２８２  スリッター刃
２８３  屑箱
Ｍ２  駆動部
３００  中綴じ処理装置
４００  平綴じ処理装置
５０１  操作表示部
５０２  中央制御部
５０３  画像形成制御部
５０４  中間搬送制御部（制御手段）
５０５  中綴じ処理制御部
５０６  平綴じ処理制御部
【図１】
0005849996.tif 000002
【図２】
0005849996.tif 000003
【図３】
0005849996.tif 000004
【図４】
0005849996.tif 000005
【図５】
0005849996.tif 000006
【図６】
0005849996.tif 000007
【図７】
0005849996.tif 000008
【図８】
0005849996.tif 000009
【図９】
0005849996.tif 000010